(57)【要約】【課題】変圧器の台数より少ない人数でタップ切換の迅速な手動操作をする。【解決手段】変圧器６７の負荷時タップ切換情報にリレー１７〜３２を介して手動操作入力部１〜１６を接続するとともに、切換スイッチＳ１〜Ｓ８を甲母線側の第１の補助リレー３３〜４０又は乙母線側の第２の補助リレー４１〜４８を介して電源に接続し、複数の出力補助線ＡＲ〜ＢＬをリレー接点と第１又は第２の補助リレー接点を介して電源に接続するとともに、各出力補助線ＡＲ〜ＢＬと電源との間に第３及び第４の補助リレー４９〜５２、５３〜５６を並列に接続し、第１又は第２の補助リレー接点に第３又は第４の補助リレー接点を介して各変圧器のタップ上げ下げ出力部５７〜６４を接続し、かつリレー接点をタップ上げ下げ出力部５７〜６４に直接接続する。【選択図】図１
2008053256.tif 000002
【特許請求の範囲】
【請求項１】
負荷時タップ切換変圧器の負荷時タップ切換制御を行う既設の負荷時タップ切換制御装置と負荷時タップ切換変圧器に対して並列に接続され、負荷時タップ切換制御装置の停止時に負荷時タップ切換変圧器の負荷時タップ切換制御を行う仮設負荷時タップ切換制御装置において、それぞれタップ上げ操作用又はタップ下げ操作用のリレーを介して負荷時タップ切換変圧器の負荷時タップ切換情報に接続された複数の手動操作入力部と、それぞれ甲母線側の第１の補助リレー又は乙母線側の第２の補助リレーと電源とを接続又は接続しない複数の手動の切換スイッチと、リレー接点と第１又は第２の補助リレー接点を介して電源に接続された複数の補助出力線と、各補助出力線と電源との間にそれぞれ並列に接続された第３及び第４の補助リレーと、第１又は第２の補助リレー接点に第３又は第４の補助リレー接点を介して接続された各負荷時タップ切換変圧器のタップ上げ下げ出力部とを備え、切換スイッチを第１の補助リレー側に接続した場合と第２の補助リレー側に接続した場合とでタップ上げ下げ出力部から同じ出力が得られるとともに、切換スイッチを第１、第２の補助リレーの何れとも接続しない場合にリレー接点と各変圧器のタップ上げ下げ出力部とを直接接続したことを特徴とする仮設負荷時タップ切換制御装置。
【発明の詳細な説明】
【技術分野】
【０００１】
この発明は、仮設負荷時タップ切換制御装置に関し、特にそのタップの手動による連動制御を可能にするものに関するものである。
【背景技術】
【０００２】
通常、電力系統の受変電設備には、電力の授受を円滑にするために負荷時タップ切換変圧器が用いられている。このような電力系統の負荷時タップ切換変圧器のタップ切換制御回路としては特許文献１に示すものがあり、これを図６により説明する。
【０００３】
図６において、電力会社の電源設備６５より供給された電力は、需要家設備の遮断器６６及び負荷時タップ切換変圧器６７を介して負荷（図示しない）に供給される。負荷時タップ切換変圧器６７にはタップを作動させるためのタップ切換器６８が付設されており、演算装置６９の自動制御回路から出力される自動操作出力及び遠制制御盤７１の手動制御回路から出力される手動操作出力が制御盤７０の操作回路を経て入力されるタップ上げ下げの制御指令によりタップ切換器６８が操作され、負荷時タップ切換変圧器６７の切換タップが制御される。
【特許文献１】特開平９−１９０９３５号公報
【発明の開示】
【発明が解決しようとする課題】
【０００４】
通常の負荷時タップ切換制御装置（ＬＲＴ制御装置）においては、自動制御回路と手動操作回路が同一装置に組み込まれている。従って、負荷時タップ切換制御装置をメンテナンス時等に停止すると、負荷時タップ切換制御は自動制御及び手動制御の両方とも不可能になる。この場合、負荷時タップ切換制御は、負荷時タップ切換変圧器６７に設置されている昇降ボタンによる現場操作となる。この昇降ボタンは変圧器に個別に設けられているために、変圧器の台数分だけ操作員が必要となる。又、負荷時タップ切換操作を現場操作で行うと、迅速な対応が不可能であった。
【０００５】
この発明は上記のような課題を解決するために成されたものであり、変圧器の台数より少ない人数で操作することができるとともに、迅速な対応が可能な仮設負荷時タップ切換制御装置を得ることを目的とする。
【課題を解決するための手段】
【０００６】
この発明の請求項１に係る仮設負荷時タップ切換制御装置は、負荷時タップ切換変圧器の負荷時タップ切換制御を行う既設の負荷時タップ切換制御装置と負荷時タップ切換変圧器に対して並列に接続され、負荷時タップ切換制御装置の停止時に負荷時タップ切換変圧器の負荷時タップ切換制御を行う仮設負荷時タップ切換制御装置において、それぞれタップ上げ操作用又はタップ下げ操作用のリレーを介して負荷時タップ切換変圧器の負荷時タップ切換情報に接続された複数の手動操作入力部と、それぞれ甲母線側の第１の補助リレー又は乙母線側の第２の補助リレーと電源とを接続又は接続しない複数の手動の切換スイッチと、リレー接点と第１又は第２の補助リレー接点を介して電源に接続された複数の補助出力線と、各補助出力線と電源との間にそれぞれ並列に接続された第３及び第４の補助リレーと、第１又は第２の補助リレー接点に第３又は第４の補助リレー接点を介して接続された各負荷時タップ切換変圧器のタップ上げ下げ出力部とを備え、切換スイッチを第１の補助リレー側に接続した場合と第２の補助リレー側に接続した場合とでタップ上げ下げ出力部から同じ出力が得られるとともに、切換スイッチを第１、第２の補助リレーの何れとも接続しない場合にリレー接点と各変圧器のタップ上げ下げ出力部とを直接接続するようにしたものである。
【発明の効果】
【０００７】
以上のようにこの発明の請求項１によれば、既設の負荷時タップ切換制御装置と並列に仮設負荷時タップ切換制御装置を設けたので、既設の負荷時タップ切換制御装置が停止しても手動操作が可能となり、接続が簡単で誤配線や誤接続等による制御の誤りがない。又、負荷時タップ切換変圧器の台数より少ない人数で操作することができ、遠隔操作が可能で迅速な操作が可能となった。また、又、切換スイッチにより第１及び第２の補助リレーを切換可能に接続しているので、２母線分離に対応し、並用条件を設定することができる。また、スイッチを切にすると、リレー接点と各負荷時タップ切換変圧器のタップ上げ下げ出力部とが直接接続されるので、当該変圧器を手動操作で単独操作することができる。又、この切換スイッチの切換により、変電所の系統条件に合わせた設定を行うことができ、変電所の系統が変化しても制御対象を容易に変更することができる。さらに、回路をリレーと第１〜第４の補助リレーとにより構成したので、最大８つの変圧器のタップ切換の手動操作が可能となり、どのような変電所でも対応可能となる。
【発明を実施するための最良の形態】
【０００８】
以下、この発明を実施するための最良の形態を図面とともに説明する。図５はこの発明の実施最良形態により設けた仮設負荷時タップ切換制御装置７２（仮設ＬＲＴ装置）と他の装置との接続関係を示し、７３は負荷時タップ切換制御装置（ＬＲＴ制御装置）であり、ＬＲＴ自動操作回路７３ａとＬＲＴ手動操作回路７３ｂとを備えている。負荷時タップ切換制御装置７３は２次母線電圧情報７４ａ、各変圧器ＣＢ（遮断器）・ＬＳ（リミットスイッチ）情報７４ｂ、母線ＣＢ・ＬＳ情報７４ｃ及び各変圧器タップ切換操作情報７４ｄを入力され、各負荷時タップ切換変圧器６７のタップ切換器６８にタップ上げ下げ指令を出し、タップの上げ下げ操作を行う。又、仮設負荷時タップ切換制御装置７２は既設の負荷時タップ切換制御装置７３と並列に接続され、負荷時タップ切換制御装置７３のメンテナンス時等の停止時に各変圧器タップ切換操作情報７４ｄを入力され、各負荷時タップ切換変圧器６７のタップ切換器６８にタップ上げ下げ指令を出し、タップの上げ下げ操作を行う。図１〜図４はいずれも仮設負荷時タップ切換制御装置７２の内部接続図を示し、Ｐ，１の組〜Ｐ，１６の組は手動操作入力部であり、それぞれタップ上げ操作用のリレー１７、１９，２１，２３，２５，２７，２９，３１及びタップ下げ操作用のリレー１８，２０，２２，２４，２６，２８，３０，３２を介して電源Ｐ（+），Ｐ（−）に接続された各負荷時タップ切換変圧器６７のタップ切換操作情報が入力される。Ｓ１〜Ｓ８は同じく手動操作される甲、乙、切の３点を切り換える切換スイッチであり、それぞれ電源Ｐ，Ｎと甲母線側の第１の補助リレー３３〜４０又は乙母線側の第２の補助リレー４１〜４８とを切換可能に接続し、あるいはこの両者とも接続しない切位置に切換可能である。リレー１７〜３２は接点回路ａ，ｂを有し、第１及び第２の補助リレー３３〜４０，４１〜４８は接点回路ａ〜ｃを有する。
【０００９】
リレー接点１７ａ〜３２ａはそれぞれ第１又は第２の補助リレー接点３３ａ〜４０ｂ又は４１ａ〜４８ｂを介して電源Ｐと４本の補助出力線ＡＲ〜ＢＬとの間に接続され、各補助出力線ＡＲ〜ＢＬと電源Ｎとの間には第３又は第４の補助リレー４９〜５２、５３〜５６が並列に接続されている。５７〜６４は各変圧器♯１Ｂ〜♯８Ｂのタップ上げ下げ出力部であり、例えば変圧器♯１Ｂのタップ上げ下げ出力部５７は出力部１Ｃとタップ上げ出力部１Ｒとタップ下げ出力部１Ｌとから構成され、他のタップ上げ下げ出力部５８〜６４も同様に構成されている。タップ上げ下げ出力部５７〜６０においてはそれぞれ第１の補助リレー接点３３ｃ〜３６ｃ又は第２の補助リレー接点４１ｃ〜４４ｃに第３の補助リレー接点４９ａ〜４９ｄ，５２ａ〜５２ｄが接続され、タップ上げ下げ出力部６１〜６４においてはそれぞれ第１の補助リレー接点３７ｃ〜４０ｃ又は第２の補助リレー接点４５ｃ〜４８ｃに第４の補助リレー接点５３ａ〜５３ｄ，５６ａ〜５６ｄを接続している。さらに、タップ上げ下げ出力部５７〜６４にはそれぞれリレー接点１７ｂ〜３２ｂを直接接続している。又、リレー１７，１９，２１，２３，２５，２７，２９，３１が励磁されると、タップ上げ制御が行われ、リレー１８，２０，２２，２４，２６，２８，３０，３２が励磁されると、タップ下げ制御が行われる。
【００１０】
上記構成において、例えば手動操作入力部Ｐ，１に手動操作用のケーブルを接続して、タップ切換情報を手動により入力し、同じく手動により切換スイッチＳ１を甲母線側の第１の補助リレー３３に接続すると、リレー接点１７ａ、１７ｂ及び第１の補助リレー接点３３ａ〜３３ｃがオンし、補助出力線ＡＲを介して第３の補助リレー４９及び第４の補助リレー５３に通電され、第３の補助リレー接点４９ａ〜４９ｄ及び第４の補助リレー接点５３ａ〜５３ｄがオンする。このため、変圧器♯１Ｂのタップ上げ下げ出力部５７のタップ上げ出力部１Ｒから出力され、変圧器♯１Ｂのタップ上げ制御が行われる。
【００１１】
又、手動操作入力部Ｐ，１にケーブルを接続するとともに、切換スイッチＳ１を乙母線側の第２の補助リレー４１に接続すると、リレー接点１７ａ，１７ｂ及び第２の補助リレー接点４１ａ〜４１ｃがオンし、補助出力線ＢＲを介して第３、第４の補助リレー５０，５４に通電され、各補助リレー接点５０ａ〜５０ｄ，５４ａ〜５４ｄがオンする。このため、変圧器♯１Ｂのタップ上げ下げ出力部５７のタップ上げ出力部１Ｒから出力され、変圧器♯１Ｂのタップ上げ制御が行われる。さらに、手動操作入力部Ｐ，１をケーブルに接続するとともに、切換スイッチＳ１を切位置にすると、リレー接点１７ａ，１７ｂがオンし、やはり変圧器♯１Ｂのタップ上げ下げ出力部５７のタップ上げ出力部１Ｒから出力され、変圧器♯１Ｂのタップ上げ制御が行われる。
【００１２】
次に、手動操作入力部Ｐ，２間に入力するとともに、切換スイッチＳ１を第１の補助リレー３３に接続すると、変圧器♯１Ｂのタップ上げ下げ出力部５７のタップ下げ出力部１Ｌから出力され、変圧器♯１Ｂのタップ下げ制御が行われる。
【００１３】
上記した実施最良形態においては、既設の負荷時タップ切換制御装置７３と並列に仮設負荷時タップ切換制御装置７２を設けたので、既設の負荷時タップ切換制御装置７３がメンテナンス等により停止されても手動操作が可能となり、変圧器の台数より少ない人数での操作が可能となり、遠隔操作も可能で迅速な操作も可能となる。又、接続が簡単で誤配線や誤接続による制御の誤りが少ない。又、切換スイッチＳ１〜Ｓ８により甲母線側の第１の補助リレー３３〜４０及び乙母線側の第２の補助リレー４１〜４８を電源に切換可能に接続しており、２母線分離に対応し、並用条件を設定することができる。さらに、スイッチＳ１〜Ｓ８を切にすると、リレー接点１７ａ〜３２ａと各変圧器のタップ上げ下げ出力部とが直接接続されているので、切換スイッチＳ１〜Ｓ８を切にした変圧器を手動操作で単独運転することができる。又、切換スイッチＳ１〜Ｓ８の切換により変電所の系統条件に合わせた設定を行うことができ、変電所の系統が変化しても制御対象を容易に変更することができる。さらに、回路をリレー１７〜３２と第１〜第４の補助リレー３３〜４０、４１〜４８、４９〜５２、５３〜５６とにより構成したので、最大８つの変圧器のタップ切換の手動操作が可能となり、どのような変電所でも対応可能となる。
【図面の簡単な説明】
【００１４】
【図１】この発明の実施最良形態による仮設負荷時タップ切換制御装置の接続図である。
【図２】この発明の実施最良形態による仮設負荷時タップ切換制御装置の接続図である。
【図３】この発明の実施最良形態による仮設負荷時タップ切換制御装置の接続図である。
【図４】この発明の実施最良形態による仮設負荷時タップ切換制御装置の接続図である。
【図５】この発明の実施最良形態による仮設負荷時タップ切換制御装置の他の装置との接続図である。
【図６】特許文献１に示された従来の負荷時タップ切換変圧器のタップ切換制御回路の構成図である。
【符号の説明】
【００１５】
１〜１６…手動操作入力部
１７〜３２…リレー
３３〜４０…第１の補助リレー
４１〜４８…第２の補助リレー
４９〜５２…第３の補助リレー
５３〜５６…第４の補助リレー
５７〜６４…各変圧器のタップ上げ下げ出力部
Ｓ１〜Ｓ８…切換スイッチ
ＡＲ〜ＢＬ…補助出力線
６７…負荷時タップ切換変圧器
６８…タップ切換器
７２…仮設負荷時タップ切換制御装置
７３…負荷時タップ切換制御装置
【図１】
2008053256.tif 000003
【図２】
2008053256.tif 000004
【図３】
2008053256.tif 000005
【図４】
2008053256.tif 000006
【図５】
2008053256.tif 000007
【図６】
2008053256.tif 000008